(57)【要約】【課題】空気調和装置の室内ユニットにおいて、簡易に吹き出し口の近傍における結露水の成長を抑制し、ひいては、その滴下を抑制する。【解決手段】空気調和装置１の室内ユニット２は、ケーシング２３と、板状部２６と、断熱材２７とを備える。ケーシング２３には、室内空気の吸い込み口５２ａ，５３ａおよび吹き出し口５６ａが形成されている。板状部２６および断熱材２７は、吹き出し口５６ａの近傍に室内空気の入り込む隙間Ｓ１を規定する。板状部２６および断熱材２７には、通風抵抗増大領域Ｃ１，Ｃ２が形成されている。通風抵抗増大領域Ｃ１，Ｃ２は、隙間Ｓ１内の通風抵抗を増大させるような形状を有する。【選択図】図４
2008095972.tif 000002
【特許請求の範囲】
【請求項１】
室内空気の吸い込み口（５２ａ，５３ａ）および吹き出し口（５６ａ）が形成されているケーシング（２３）と、
前記吹き出し口（５６ａ）の近傍に室内空気の入り込む隙間（Ｓ１）を規定する隙間規定部材（２６，２７）と、
を備え、
前記隙間規定部材（２６，２７）には、前記隙間（Ｓ１）内の通風抵抗を増大させるような形状を有する通風抵抗増大領域（Ｃ１，Ｃ２）が形成されている、
空気調和装置（１）の室内ユニット（２）。
【請求項２】
前記ケーシング（２３）の内部に配置され、前記吸い込み口（５２ａ，５３ａ）を介して前記ケーシング（２３）の内部に吸い込まれた空気との間で熱交換を行う熱交換器（２１）と、
前記熱交換器（２１）に近接し、前記熱交換器（２１）において発生したドレン水を受け取るドレンパン（２４）と、
をさらに備え、
前記ケーシング（２３）は、前記吸い込み口（５２ａ，５３ａ）および前記吹き出し口（５６ａ）が形成されている正面パネル（５１）、ならびに壁面に取り付けられる背面ケーシング（５７）を有し、
前記隙間規定部材（２６，２７）は、前記ドレンパン（２４）と前記正面パネル（５１）との間に配置されている、
請求項１に記載の空気調和装置（１）の室内ユニット（２）。
【請求項３】
前記隙間規定部材（２６，２７）は、正面視において前記吸い込み口（５３ａ）と前記吹き出し口（５６ａ）との間に配置されている、
請求項１または２に記載の空気調和装置（１）の室内ユニット（２）。
【請求項４】
前記隙間規定部材（２６，２７）は、
前記吹き出し口（５６ａ）の輪郭の少なくとも一部分を規定する第１面（２６ａ）および前記第１面（２６ａ）の裏側にあり前記隙間（Ｓ１）の輪郭の少なくとも一部分を規定する第２面（２６ｂ）を有する板状部（２６）、
を含み、
前記通風抵抗増大領域（Ｃ１）は、前記第２面（２６ｂ）に形成されている、
請求項１から３のいずれかに記載の空気調和装置（１）の室内ユニット（２）。
【請求項５】
前記隙間規定部材（２６，２７）は、
前記吹き出し口（５６ａ）の輪郭の少なくとも一部分を規定する第１面（２６ａ）および前記第１面（２６ａ）の裏側にあり前記隙間（Ｓ１）の輪郭の少なくとも一部分を規定する第２面（２６ｂ）を有する板状部（２６）と、
前記第２面（２６ｂ）に対向し、前記隙間（Ｓ１）の輪郭の少なくとも一部分を規定する第３面（２７ａ）を有する断熱材（２７）と、
を含み、
前記通風抵抗増大領域（Ｃ２）は、前記第３面（２７ａ）に形成されている、
請求項１から３のいずれかに記載の空気調和装置（１）の室内ユニット（２）。
【請求項６】
前記通風抵抗増大領域（Ｃ１，Ｃ２）は、凹凸形状を有している、
請求項１から５のいずれかに記載の空気調和装置（１）の室内ユニット（２）。
【請求項７】
前記通風抵抗増大領域（Ｃ１）には、保水溝（Ｔ１）が形成されている、
請求項６に記載の空気調和装置（１）の室内ユニット（２）。
【請求項８】
前記隙間規定部材（２６，２７）は、
前記吹き出し口（５６ａ）の輪郭の少なくとも一部分を規定する第１面（２６ａ）および前記第１面（２６ａ）の裏側にあり前記隙間（Ｓ１）の輪郭の少なくとも一部分を規定する第２面（２６ｂ）を有する板状部（２６）と、
前記第２面（２６ｂ）に対向し、前記隙間（Ｓ１）の輪郭の少なくとも一部分を規定する第３面（２７ａ）を有する断熱材（２７）と、
を含み、
前記通風抵抗増大領域（Ｃ１，Ｃ２）は、前記第２面（２６ｂ）および前記第３面（２７ａ）に形成されており、前記第２面（２６ｂ）と前記第３面（２７ａ）とを嵌合させるような凹凸形状を有している、
請求項１から３のいずれかに記載の空気調和装置（１）の室内ユニット（２）。
【請求項９】
前記第２面（２６ｂ）および前記第３面（２７ａ）の少なくとも一方には、保水溝（Ｔ１）が形成されている、
請求項８に記載の空気調和装置（１）の室内ユニット（２）。
【発明の詳細な説明】
【技術分野】
【０００１】
本発明は、空気調和装置の室内ユニットに関する。
【背景技術】
【０００２】
空気調和装置の室内ユニットでは、そのケーシングに形成されている吹き出し口の近傍において、同じく吹き出し口の近傍に存在する各種部品により隙間が規定されることがある。このような場合、室内ユニットの運転時に、ケーシングの内部から室内へと吹き出される気流に巻き込まれた湿気を含む室内空気が当該隙間に入り込み、当該隙間においてこの室内空気に含まれる水分が結露して成長し、ケーシングの外部に滴下することがある。特に、室内ユニットが冷房運転を行っている場合には、吹き出し口を介して室内へと吹き出される空気が低温であるため、吹き出し口の近傍の隙間に入り込んだ室内空気がそうした冷気によって冷却され、結露水が成長し易くなる。また、特に、室内ユニットが冷房運転または除湿運転を行っている場合には、ケーシングの内部において蒸発器として機能する熱交換器から伝えられる冷気によって吹き出し口の近傍の隙間に入り込んだ室内空気が冷却され、結露水の成長が助長され得る。
【０００３】
そこで、特許文献１では、吹き出し口の近傍に形成される空間の入口および内部に吸水材を設置し、このような結露水の滴下を防いでいる。
【特許文献１】特開平６−１４７５２７号公報
【発明の開示】
【発明が解決しようとする課題】
【０００４】
しかしながら、特許文献１の場合、吸水材の分だけコスト高になり、必ずしも得策であるとは言い難い。
【０００５】
本発明の課題は、空気調和装置の室内ユニットにおいて、簡易に吹き出し口の近傍における結露水の成長を抑制し、ひいては、その滴下を抑制することにある。
【課題を解決するための手段】
【０００６】
第１発明にかかる空気調和装置の室内ユニットは、ケーシングと、隙間規定部材とを備える。ケーシングには、室内空気の吸い込み口および吹き出し口が形成されている。隙間規定部材は、吹き出し口の近傍に室内空気の入り込む隙間を規定する。隙間規定部材には、通風抵抗増大領域が形成されている。通風抵抗増大領域は、上記隙間内の通風抵抗を増大させるような形状を有する。
【０００７】
この室内ユニットでは、吹き出し口の近傍に存在する隙間規定部材により、吹き出し口の近傍に隙間が規定される。なお、当該隙間は、隙間規定部材となる複数の部材間に形成される隙間であってもよいし、隙間規定部材となる単一の部材の複数の部位間に形成される隙間であってもよい。そして、隙間規定部材には、室内ユニットの運転により形成される気流が当該隙間に入り込むことを抑制する通風抵抗増大領域が形成されている。その結果、当該気流に巻き込まれた湿気を含む室内空気が、吹き出し口の近傍に形成される隙間に入り込むことが抑制されることになる。これにより、この室内ユニットでは、簡易に吹き出し口の近傍における結露水の成長を抑制し、ひいては、その滴下を抑制することができる。
【０００８】
第２発明にかかる空気調和装置の室内ユニットは、第１発明にかかる室内ユニットであって、熱交換器と、ドレンパンとをさらに備える。熱交換器は、ケーシングの内部に配置され、吸い込み口を介してケーシングの内部に吸い込まれた空気との間で熱交換を行う。ドレンパンは、熱交換器に近接し、熱交換器において発生したドレン水を受け取る。ケーシングは、正面パネルおよび背面ケーシングを有する。正面パネルには、吸い込み口および吹き出し口が形成されている。背面ケーシングは、壁面に取り付けられる。隙間規定部材は、ドレンパンと正面パネルとの間に配置されている。
【０００９】
この室内ユニットは、壁掛け用の室内ユニットである。そして、この室内ユニットでは、隙間規定部材が、吹き出し口が形成されている正面パネルと熱交換器に近接するドレンパンとの間に配置されている。したがって、隙間規定部材により規定される隙間は、冷房運転時や除湿運転時のように熱交換器が蒸発器として機能する場合には、当該熱交換器の存在により冷却され易く結露の生じ易い環境となる。したがって、この室内ユニットにおいては、吹き出し口の近傍に形成される隙間に室内空気が入り込むことを抑制する構造を採用することは、特に有用となる。
【００１０】
第３発明にかかる空気調和装置の室内ユニットは、第１発明または第２発明にかかる室内ユニットであって、隙間規定部材は、正面視において吸い込み口と吹き出し口との間に配置されている。
【００１１】
この室内ユニットでは、隙間規定部材が、正面視において吸い込み口と吹き出し口との間に配置されている。したがって、隙間規定部材により規定される隙間は、室内ユニットの運転により形成される気流の通路となり易く、また、冷房運転時のように吹き出し口を介して室内へと吹き出される空気が低温である場合には、当該吹き出される空気により冷却され易く結露の生じ易い環境となる。したがって、この室内ユニットにおいては、吹き出し口の近傍に形成される隙間に室内空気が入り込むことを抑制する構造を採用することは、特に有用となる。
【００１２】
第４発明にかかる空気調和装置の室内ユニットは、第１発明から第３発明のいずれかにかかる室内ユニットであって、隙間規定部材は、板状部を含む。板状部は、第１面および第２面を有する。第１面は、吹き出し口の輪郭の少なくとも一部分を規定する。第２面は、第１面の裏側にあり、上記隙間の輪郭の少なくとも一部分を規定する。通風抵抗増大領域は、第２面に形成されている。
【００１３】
この室内ユニットでは、板状部のある面（第１面）が吹き出し口の輪郭の少なくとも一部分を規定し、その面の裏側の面（第２面）が上記隙間の輪郭の少なくとも一部分を規定している。すなわち、上記隙間が吹き出し口に板状部をはさんで隣接していることになり、室内ユニットの運転により形成される気流が当該隙間の入口に達し易くなっている。そこで、板状部の第２面には、室内ユニットの運転により形成される気流が当該隙間に入り込むことを抑制する工夫が施されている。したがって、この室内ユニットでは、吹き出し口の近傍に形成される隙間に室内空気が入り込むことを抑制することができる。
【００１４】
第５発明にかかる空気調和装置の室内ユニットは、第１発明から第３発明のいずれかにかかる室内ユニットであって、隙間規定部材は、板状部と、断熱材とを含む。板状部は、第１面および第２面を有する。第１面は、吹き出し口の輪郭の少なくとも一部分を規定する。第２面は、第１面の裏側にあり、上記隙間の輪郭の少なくとも一部分を規定する。第３面は、第２面に対向し、上記隙間の輪郭の少なくとも一部分を規定する。通風抵抗増大領域は、第３面に形成されている。
【００１５】
この室内ユニットでは、板状部のある面（第１面）が吹き出し口の輪郭の少なくとも一部分を規定し、その面の裏側の面（第２面）が上記隙間の輪郭の少なくとも一部分を規定している。そして、さらに、板状部の第２面に対向する断熱材のある面（第３面）が、上記隙間の輪郭の少なくとも一部分を規定している。すなわち、上記隙間が吹き出し口に板状部をはさんで隣接していることになり、室内ユニットの運転により形成される気流が当該隙間の入口に達し易くなっている。そこで、断熱材の第３面には、室内ユニットの運転により形成される気流が当該隙間に入り込むことを抑制する工夫が施されている。したがって、この室内ユニットでは、吹き出し口の近傍に形成される隙間に室内空気が入り込むことを抑制することができる。
【００１６】
第６発明にかかる空気調和装置の室内ユニットは、第１発明から第５発明のいずれかにかかる室内ユニットであって、通風抵抗増大領域は、凹凸形状を有している。
【００１７】
この室内ユニットでは、隙間規定部材には凹凸面が形成されており、この凹凸面が上記隙間の輪郭の少なくとも一部分を規定している。したがって、この室内ユニットでは、吹き出し口の近傍に形成される隙間の通風抵抗を増大させることができる。
【００１８】
第７発明にかかる空気調和装置の室内ユニットは、第６発明にかかる室内ユニットであって、通風抵抗増大領域には、保水溝が形成されている。
【００１９】
この室内ユニットでは、隙間規定部材の凹凸面には保水溝が形成されている。これにより、この室内ユニットでは、上記隙間において生じた結露水を保水溝に保持することができ、結露水の滴下を抑制することができる。また、保水溝に保持される結露水の水面は、その表面張力により保水溝の開口面よりも隆起した輪郭を描くことになる。したがって、この室内ユニットでは、保水溝に保持される結露水により、吹き出し口の近傍に形成される隙間が室内ユニットの運転により形成される気流に対してシールされるため、当該隙間の通風抵抗をさらに増大させることができる。
【００２０】
第８発明にかかる空気調和装置の室内ユニットは、第１発明から第３発明のいずれかにかかる室内ユニットであって、隙間規定部材は、板状部と、断熱材とを含む。板状部は、第１面および第２面を有する。第１面は、吹き出し口の輪郭の少なくとも一部分を規定する。第２面は、第１面の裏側にあり、上記隙間の輪郭の少なくとも一部分を規定する。断熱材は、第２面に対向し、上記隙間の輪郭の少なくとも一部分を規定する第３面を有する。通風抵抗増大領域は、第２面および第３面に形成されており、第２面と第３面とを嵌合させるような凹凸形状を有している。
【００２１】
この室内ユニットでは、板状部のある面（第１面）が吹き出し口の輪郭の少なくとも一部分を規定し、その面の裏側の面（第２面）が上記隙間の輪郭の少なくとも一部分を規定している。そして、さらに、板状部の第２面に対向する断熱材のある面（第３面）が、上記隙間の輪郭の少なくとも一部分を規定している。すなわち、上記隙間が吹き出し口に板状部をはさんで隣接していることになり、室内ユニットの運転により形成される気流が当該隙間の入口に達し易くなっている。そこで、板状部の第２面および断熱材の第３面には、室内ユニットの運転により形成される気流が当該隙間に入り込むことを抑制する工夫が施されている。より具体的には、板状部の第２面および断熱材の第３面は、凹凸形状となっており、この凹凸面が上記隙間の輪郭の少なくとも一部分を規定している。また、この凹凸形状の第２面および第３面は、互いに嵌合する。したがって、この室内ユニットでは、吹き出し口の近傍に形成される隙間の通風抵抗を増大させることができる。
【００２２】
第９発明にかかる空気調和装置の室内ユニットは、第８発明にかかる室内ユニットであって、第２面および第３面の少なくとも一方には、保水溝が形成されている。
【００２３】
この室内ユニットでは、隙間規定部材の凹凸面には保水溝が形成されている。これにより、この室内ユニットでは、上記隙間において生じた結露水を保水溝に保持することができ、結露水の滴下を抑制することができる。また、保水溝に保持される結露水の水面は、その表面張力により保水溝の開口面よりも隆起した輪郭を描くことになる。したがって、この室内ユニットでは、保水溝に保持される結露水により、吹き出し口の近傍に形成される隙間が室内ユニットの運転により形成される気流に対してシールされるため、当該隙間の通風抵抗をさらに増大させることができる。
【発明の効果】
【００２４】
第１発明にかかる空気調和装置の室内ユニットでは、簡易に吹き出し口の近傍における結露水の成長を抑制し、ひいては、その滴下を抑制することができる。
【００２５】
第２発明にかかる空気調和装置の室内ユニットにおいては、吹き出し口の近傍に形成される隙間に室内空気が入り込むことを抑制する構造を採用することが特に有用となる。
【００２６】
第３発明にかかる空気調和装置の室内ユニットにおいては、吹き出し口の近傍に形成される隙間に室内空気が入り込むことを抑制する構造を採用することが特に有用となる。
【００２７】
第４発明にかかる空気調和装置の室内ユニットでは、吹き出し口の近傍に形成される隙間に室内空気が入り込むことを抑制することができる。
【００２８】
第５発明にかかる空気調和装置の室内ユニットでは、吹き出し口の近傍に形成される隙間に室内空気が入り込むことを抑制することができる。
【００２９】
第６発明にかかる空気調和装置の室内ユニットでは、吹き出し口の近傍に形成される隙間の通風抵抗を増大させることができる。
【００３０】
第７発明にかかる空気調和装置の室内ユニットでは、吹き出し口の近傍に形成される隙間において生じた結露水を保水溝に保持することができ、結露水の滴下を抑制することができる。また、保水溝に保持される結露水により、吹き出し口の近傍に形成される隙間が室内ユニットの運転により形成される気流に対してシールされるため、当該隙間の通風抵抗をさらに増大させることができる。
【００３１】
第８発明にかかる空気調和装置の室内ユニットでは、吹き出し口の近傍に形成される隙間の通風抵抗を増大させることができる。
【００３２】
第９発明にかかる空気調和装置の室内ユニットでは、吹き出し口の近傍に形成される隙間において生じた結露水を保水溝に保持することができ、結露水の滴下を抑制することができる。また、保水溝に保持される結露水により、吹き出し口の近傍に形成される隙間が室内ユニットの運転により形成される気流に対してシールされるため、当該隙間の通風抵抗をさらに増大させることができる。
【発明を実施するための最良の形態】
【００３３】
以下、本発明の第１実施形態にかかる空気調和装置１の室内ユニット２について説明する。
【００３４】
＜第１実施形態＞
（１）空気調和装置の外観
図１は、本発明の第１実施形態にかかる室内ユニット２を備える空気調和装置１の外観を示す図である。
【００３５】
この空気調和装置１は、室内の壁面などに設置される室内ユニット２と、室外に設置される室外ユニット３と、室内ユニット２と室外ユニット３とを接続する冷媒配管４とを備えており、各ユニット２，３のケーシング２３，３０内に収容された機器・弁類と冷媒配管４とが接続されて冷媒回路を構成している。
【００３６】
（２）空気調和装置の冷媒回路
図２は、空気調和装置１の概略冷媒回路を示す図である。この冷媒回路は、主として、室内熱交換器２１、アキュムレータ３１、圧縮機３２、四路切換弁３３、室外熱交換器３４および膨張弁３５から構成されている。
【００３７】
室内ユニット２は、室内熱交換器２１を有しており、室内熱交換器２１は、室内空気との間で熱交換を行う。また、室内ユニット２は、室内ファン２２を有している。室内ファン２２が駆動されると、室内ユニット２のケーシング２３内には気流が形成され、これにより、室内空気が室内からケーシング２３内に吸い込まれ、吸い込まれた空気と室内熱交換器２１との間で熱交換が行われ、熱交換後の空気がケーシング２３内から室内に吹き出されることになる。室内ファン２２は、細長い円筒形状の羽根車２２ａと、羽根車２２ａを回転駆動するファンモータ２２ｂとを有しており、羽根車２２ａの回転軸Ａ１（図３参照）と交わる方向に空気を吹き出すクロスフローファンである。室内ユニット２の詳細な構成については後述する。
【００３８】
室外ユニット３は、圧縮機３２と、圧縮機３２の吐出側に接続された四路切換弁３３と、圧縮機３２の吸入側に接続されたアキュムレータ３１と、四路切換弁３３に接続された室外熱交換器３４と、室外熱交換器３４に接続された膨張弁３５とを有している。膨張弁３５は、液側閉鎖弁３６を介して液冷媒配管４１に接続されており、この液冷媒配管４１を介して室内熱交換器２１の一端と接続されている。また、四路切換弁３３は、ガス側閉鎖弁３７を介してガス冷媒配管４２に接続されており、このガス冷媒配管４２を介して室内熱交換器２１の他端と接続されている。なお、冷媒配管４１、４２は、図１の冷媒配管４に相当する。また、室外ユニット３は、室外ファン３８を有している。室外ファン３８が駆動されると、室外ユニット３のケーシング３０内には気流が形成され、これにより、熱源としての室外空気が室外からケーシング３０内に吸い込まれ、吸い込まれた空気と室外熱交換器３４との間で熱交換が行われ、熱交換後の空気がケーシング３０内から室外に吹き出されることになる。室外ファン３８は、プロペラ形状の翼を有する羽根車３８ａと、羽根車３８ａを回転駆動するファンモータ３８ｂとを有しており、羽根車３８ａの回転軸方向に空気を吹き出すプロペラファンである。
【００３９】
（３）室内ユニットの構成
室内ユニット２は、図１に示すように、正面視において左右方向に長いケーシング２３を有しており、このケーシング２３の内部には、前述の室内熱交換器２１や室内ファン２２が収容されている。
【００４０】
ａ）ケーシング
ケーシング２３は、図１および図３に示すように、主として、正面パネル５１と、背面ケーシング５７とから構成されている。
【００４１】
正面パネル５１は、主として、天面部５２、正面部５３、右側面部５４、左側面部５５および底面部５６から構成されている。天面部５２は、ケーシング２３の天面を形成している。天面部５２には、ケーシング２３の幅方向に沿う複数のスリット状の開口からなる吸い込み口５２ａが形成されている。なお、ケーシング２３の幅方向とは、正面視における左右方向を意味する。正面部５３は、ケーシング２３の正面を形成している。正面部５３の天面部５２側の位置には、ケーシング２３の幅方向に沿う開口からなる吸い込み口５３ａが形成されている。右側面部５４は、ケーシング２３の、室内ユニット２の正面視における右側の側面を形成しており、左側面部５５は、ケーシング２３の、室内ユニット２の正面視における左側の側面を形成している。底面部５６は、ケーシング２３の底面を形成している。底面部５６の正面部５３側の位置には、ケーシング２３の幅方向に沿う開口からなる吹き出し口５６ａが設けられている。また、吹き出し口５６ａには、室内に吹き出される空気を案内するためのフラップ５８が設けられている。フラップ５８は、ケーシング２３の幅方向に平行な軸を中心に回動自在に設けられている。フラップ５８は、フラップモータ（図示せず）によって駆動されることにより、吹き出し口５６ａの開閉を行うことができる。
【００４２】
背面ケーシング５７は、室内ユニット２の背面を形成しており、部屋の壁面に据え付けられる。
【００４３】
ｂ）室内ファン
図５は、正面パネル５１およびフィルタ２５などの部品を取り除いた状態の室内ユニット２の斜視図である。
【００４４】
室内ファン２２は、クロスフローファンであり、主として、羽根車２２ａと、ファンモータ２２ｂとを有している。羽根車２２ａは、細長い略円筒形状を有しており、その側面には複数の翼が設けられている。ファンモータ２２ｂは、羽根車２２ａの上面および底面の略中心を貫く回転軸Ａ１を中心に、羽根車２２ａを回転駆動する。室内ファン２２の外形は、概ね羽根車２２ａにより形作られており、略円筒形状となっている。略円筒形状の室内ファン２２は、図５に示すように、その上面および底面が正面パネル５１の側面部５４，５５と平行に対向し、その幅方向がケーシング２３の幅方向と平行になるように配置されている。なお、略円筒形状の室内ファン２２の幅方向とは、その円筒の高さ方向を意味する。また、室内ファン２２は、図３に示すように、側面視においてケーシング２３により規定される内部空間の略中央に位置しており、図５に示すように、正面視においてケーシング２３と概ね同じ幅を有している。
【００４５】
ファンモータ２２ｂにより羽根車２２ａが回転駆動されると、ケーシング２３内に気流が形成される。すなわち、室内空気が吸い込み口５２ａ，５３ａを介してケーシング２３内へと流入する。そして、ケーシング２３内へと流入した空気は、室内熱交換器２１を通り抜けて室内ファン２２に達し、羽根車２２ａの回転に巻き込まれて室内ファン２２の下方へと吹き出される。そして、室内ファン２２の下方へと吹き出された空気は、室内ファン２２の下方に配置されているスクロール部材７０の案内面７０ａ（後述する）に沿ってケーシング２３に形成されている吹き出し口５６ａまで導かれ、再び室内へと送り出される。
【００４６】
ｃ）室内熱交換器
室内熱交換器２１は、主として、正面側熱交換器６１と、背面側熱交換器６２とを有している。室内熱交換器２１は、正面側熱交換器６１と背面側熱交換器６２とが連結されることにより、側面視において逆Ｖ字形状となっている。また、室内熱交換器２１は、正面視においてケーシング２３と概ね同じ幅を有しており、図３に示すように、室内ファン２２の上部および正面側を覆っている。
【００４７】
室内熱交換器２１は、ケーシング２３に形成されている吸い込み口５２ａ，５３ａと対向しており、吸い込み口５２ａ，５３ａと室内熱交換器２１との間には、フィルタ２５が配置されている。フィルタ２５は、室内ファン２２の駆動により吸い込み口５２ａ，５３ａを介してケーシング２３内へと流入した空気に含まれる塵や埃などを吸着し、これらが除去された空気を室内熱交換器２１へと送る役割を果たす。
【００４８】
ｄ）スクロール部材
スクロール部材７０は、ケーシング２３の内部であって正面パネル５１の底面部５６側かつ背面ケーシング５７側の位置に配置されている。スクロール部材７０は、正面視においてケーシング２３と概ね同じ幅を有しており、室内ファン２２の背面側および下部を覆っている。すなわち、スクロール部材７０は、室内ファン２２に対して概ね室内熱交換器２１の反対側に存在している。
【００４９】
スクロール部材７０は、室内ファン２２の駆動により室内ファン２２の下流に流された空気をケーシング２３に形成されている吹き出し口５６ａの近傍まで案内する案内面７０ａを有している。案内面７０ａは、図３に示すように、側面視において概ね滑らかな曲線を描いており、案内面７０ａの描く曲線の曲率中心は、室内ファン２２側に存在している。案内面７０ａの上端は、室内ファン２２の上端と上下方向に概ね同じ位置にあり、案内面７０ａの側面視における左端は、室内ファン２２の側面視における左端と概ね同じ位置にある。また、案内面７０ａは、正面視においてケーシング２３と概ね同じ幅を有している。
【００５０】
ｅ）ドレンパン
ドレンパン２４は、正面側熱交換器６１の下方かつ吹き出し口５６ａの上方に配置されている。ドレンパン２４は、図４に示すように、主として、底面部２４ａと、正面側側壁部２４ｂと、背面側側壁部２４ｃとから構成されている。正面側側壁部２４ｂは、正面視において底面部２４ａの最も手前側の位置から手前側に向かって斜め上方に延びており、背面側側壁部２４ｃは、正面視において底面部２４ａの最も奥側の位置から手前側に向かってやや斜め上方に延びている。底面部２４ａおよび側壁部２４ｂ，２４ｃは、正面視において正面側熱交換器６１と概ね同じ幅を有している。底面部２４ａおよび側壁部２４ｂ，２４ｃは、一体的に形成されている。これにより、ドレンパン２４は、正面側熱交換器６１の表面において発生し、表面をつたって落下してくるドレン水を受け取ることができるようになっている。
【００５１】
室内ファン２２の駆動により室内熱交換器２１を通り抜ける空気は、室内熱交換器２１の伝熱管６３を流れる冷媒との間で熱交換を行って冷房運転時または除湿運転時には冷却され、暖房運転時には加熱される。そして、冷房運転時または除湿運転時には、空気中に含まれる水分が室内熱交換器２１の表面で結露することがある。正面側熱交換器６１において結露した水は、正面側熱交換器６１の下方に配置されているドレンパン２４により受け取られて回収され、回収後、ドレンパン２４に連通するドレンホース（図示せず）などにより規定される所定の経路に沿って流れ、ケーシング２３外へと排出される。
【００５２】
ｆ）板状部
図６は、図５の状態からさらに断熱材２７（後述する）および室内ファン２２などの部品を取り除いた状態の室内ユニット２の斜視図である。
【００５３】
板状部２６は、図４に示すように、ドレンパン２４と一体的に形成されており、ドレンパン２４の底面部２４ａと正面側側壁部２４ｂとの境界から正面パネル５１の近傍まで略水平に延びている。板状部２６は、正面視においてドレンパン２４と概ね同じ幅を有している。板状部２６とドレンパン２４の底面部２４ａとは、同一平面を規定している。
【００５４】
板状部２６は、下方を向いた第１面２６ａと、第１面２６ａの裏側にあり、上方を向いた第２面２６ｂとを有している。第１面２６ａは、吹き出し口５６ａの上方の輪郭を規定している。そして、板状部２６ａは、第２面２６ｂ側に、図４において破線で示される通風抵抗増大領域Ｃ１を有しており、通風抵抗増大領域Ｃ１は、凹凸形状を有している。通風抵抗増大領域Ｃ１には、正面視において板状部２６全体と概ね同じ幅を有する複数の保水溝Ｔ１が形成されており、これら複数の保水溝Ｔ１は、側面視における左右方向に平行に並んでいる。
【００５５】
ｇ）断熱材
正面パネル５１の正面部５３と、ドレンパン２４の正面側側壁部２４ｂと、板状部２６とに囲まれる空間には、概ね当該空間の形に合わせて成形された断熱材２７が配置されている。断熱材２７は、正面視においてドレンパン２４と概ね同じ幅を有している。断熱材２７は、発泡スチロール製であり、ドレンパン２４の正面側側壁部２４ｂをはさんで隣接する正面側熱交換器６１からの冷気が正面パネル５１側に伝わり、正面パネル５１付近が過度に冷却されることを防ぐためのものである。
【００５６】
断熱材２７は、板状部２６の第２面２６ｂと対向する下方を向いた第３面２７ａを有している。断熱材２７の第３面２７ａと板状部２６の第２面２６ｂとの間には、隙間Ｓ１が形成されており、断熱材２７の第３面２７ａは、この隙間Ｓ１の上方の輪郭を規定し、板状部２６の第２面２６ｂは、この隙間Ｓ１の下方の輪郭を規定している。そして、断熱材２７は、第３面２７ａ側に、図４において破線で示される通風抵抗増大領域Ｃ２を有しており、通風抵抗増大領域Ｃ２は、凹凸形状を有している。通風抵抗増大領域Ｃ２には、板状部２６の第２面２６ｂに形成されている複数の保水溝Ｔ１にはまり込み得る形状の複数の突出部Ｙ１が形成されており、これら複数の突出部Ｙ１は、側面視における左右方向に平行に並んでいる。突出部Ｙ１は、正面視において板状部２６全体と概ね同じ幅を有している。
【００５７】
このように、板状部２６および断熱材２７にそれぞれ上述の通風抵抗増大領域Ｃ１，Ｃ２が形成されているため、隙間Ｓ１の通風抵抗が増大し、吹き出し口５６ａから吹き出される気流は、隙間Ｓ１へと進入しにくくなっている。また、通風抵抗増大領域Ｃ１には保水溝Ｔ１が形成されているため、たとえ湿気を含む室内空気が隙間Ｓ１に入り込み、正面側熱交換器６１からの冷気または吹き出し口５６ａを介して室内へと吹き出される空気の冷気により冷却されて結露したとしても、その結露水は、保水溝Ｔ１内に捉えられることになり、ケーシング２３外への滴下が抑制されることになる。さらに、保水溝Ｔ１に溜まった結露水の水面は、その表面張力により保水溝Ｔ１の開口面よりも隆起した輪郭を描くことになるため、保水溝Ｔ１に溜まった結露水は、隙間Ｓ１に進入しようとする気流をブロックすることができる。
【００５８】
＜特徴＞
本実施形態にかかる室内ユニット２には、以下のような特徴がある。
【００５９】
（１）
室内ユニット２では、吹き出し口５６ａの近傍に存在する板状部２６および断熱材２７により、吹き出し口５６ａの近傍に隙間Ｓ１が規定される。そして、板状部２６および断熱材２７は、室内ユニット２の運転により形成される気流が隙間Ｓ１に入り込むことを抑制する通風抵抗増大領域Ｃ１，Ｃ２を有している。通風抵抗増大領域Ｃ１，Ｃ２は、互いに嵌合する凹凸形状を有している。その結果、当該気流に巻き込まれた湿気を含む室内空気が隙間Ｓ１に入り込むことが抑制され、吹き出し口５６ａの近傍における結露水の成長が抑制され、ひいては、その滴下が抑制される。
【００６０】
（２）
板状部２６の通風抵抗増大領域Ｃ２には、保水溝Ｔ１が形成されている。そのため、たとえ湿気を含む室内空気が隙間Ｓ１に入り込み、隙間Ｓ１内において結露が生じたとしても、その結露水は、保水溝Ｔ１に捉えられることになる。そして、保水溝Ｔ１に捉えられた結露水の水面は、その表面張力により保水溝Ｔ１の開口面よりも隆起した輪郭を描くことになる。その結果、保水溝Ｔ１に結露水が溜まると、その結露水は隙間Ｓ１に進入しようとする気流をブロックすることが可能であるため、隙間Ｓ１の通風抵抗がさらに増大することになる。
【００６１】
＜変形例＞
以上、本発明の一実施形態について図面に基づいて説明したが、具体的な構成は、この実施形態に限られるものではなく、発明の要旨を逸脱しない範囲で変更可能である。
【００６２】
（Ａ）
上記実施形態においては、室内ユニット２を壁掛け用としたが、本発明は、壁掛け用以外の室内ユニットにも適用可能である。
【００６３】
（Ｂ）
上記実施形態においては、結露対策を施すべき隙間として板状部２６と断熱材２７とにより規定される隙間Ｓ１を例示したが、本発明は、室内ユニットの吹き出し口の近傍に規定される任意の隙間に適用可能である。
【００６４】
（Ｃ）
上記実施形態においては、板状部２６の第２面２６ｂおよび断熱材２７の第３面２７ａの両方を凹凸面としたが、どちらか一方のみを凹凸面としてもよい。
【００６５】
（Ｄ）
上記実施形態においては、通風抵抗増大領域Ｃ１，Ｃ２を凹凸形状とし、通風抵抗増大領域Ｃ１に保水溝を設けたが、その他の方法により隙間Ｓ１の通風抵抗を増大させるようにしてもよい。
【００６６】
（Ｅ）
上記実施形態において、断熱材２７は、発泡スチロール製でなくてもよい。
【００６７】
（Ｆ）
上記実施形態において、板状部２６の第２面２６ｂもしくは断熱材２７の第３面２７ａ、あるいはその双方に不織布などの吸水材を貼付してもよい。この場合、隙間Ｓ１に溜まった結露水の滴下がさらに抑制される。
【００６８】
（Ｇ）
上記実施形態（Ａ）から（Ｆ）にかかる変形例に含まれる種々の技術的特徴は、任意に組み合わせることができる。
【産業上の利用可能性】
【００６９】
本発明は、空気調和装置の室内ユニットに適用することが可能であり、簡易に吹き出し口の近傍における結露水の成長を抑制し、ひいては、その滴下を抑制することができるという効果を有する。
【図面の簡単な説明】
【００７０】
【図１】本発明の第１実施形態にかかる室内ユニットを備える空気調和装置の外観を示す図。
【図２】空気調和装置の概略冷媒回路を示す図。
【図３】室内ユニットの側方断面図。
【図４】図３に示される領域Ｂの拡大図。
【図５】正面パネルおよびフィルタなどの部品を取り除いた状態の室内ユニットの斜視図。
【図６】図５の状態からさらに室内ファンおよび断熱材などの部品を取り除いた状態の室内ユニットの斜視図。
【符号の説明】
【００７１】
１  空気調和装置
２  室内ユニット
２１  室内熱交換器（熱交換器）
２３  ケーシング
２４  ドレンパン
２６  板状部（隙間規定部材）
２６ａ  第１面
２６ｂ  第２面
２７  断熱材（隙間規定部材）
２７ａ  第３面
５１  正面パネル
５７  背面ケーシング
５２ａ，５３ａ  吸い込み口
５６ａ  吹き出し口
Ｃ１，Ｃ２  通風抵抗増大領域
Ｓ１  隙間
Ｔ１  保水溝
【図１】
2008095972.tif 000003
【図２】
2008095972.tif 000004
【図３】
2008095972.tif 000005
【図４】
2008095972.tif 000006
【図５】
2008095972.tif 000007
【図６】
2008095972.tif 000008